(57)【要約】【課題】他者の目的地への到着予定時刻を取得すること。【解決手段】目的地への到着予定時刻を通知するよう他者に対して要求する要求元のユーザによって利用される携帯電話１１０と、要求元のユーザからの要求を受ける要求先のユーザによって利用される携帯電話１２０とを備え、携帯電話１１０及び携帯電話１２０は、それぞれ、他端末と通信回線を介してデータを送受信する通信部と、自端末の通信部を含む各部の制御やデータの計算、加工を行う中央処理部とを有し、携帯電話１１０の中央処理部１１６は、目的地への到着予定時刻を取得すべきユーザによって利用されている要求先端末に対して、目的地への到着予定時刻を送信するよう要求する旨のデータを、通信部１１１を介して送信する。【選択図】図１
2012182711.tif 000002
【特許請求の範囲】
【請求項１】
他者の目的地への到着予定時刻を取得する到着予定時刻取得システムであって、
目的地への到着予定時刻を通知するよう他者に対して要求する要求元のユーザによって利用される要求元端末と、
前記要求元のユーザからの要求を受ける要求先のユーザによって利用される要求先端末と
を備え、
前記要求元端末及び前記要求先端末は、それぞれ、
他端末と通信回線を介してデータを送受信する通信部と、
自端末の前記通信部を含む各部の制御やデータの計算、加工を行う中央処理部と
を有し、
前記要求元端末の中央処理部は、目的地への到着予定時刻を取得すべきユーザによって利用されている前記要求先端末に対して、目的地への到着予定時刻を送信するよう要求する旨のデータを、前記通信部を介して送信する
ことを特徴とする到着予定時刻取得システム。
【請求項２】
前記要求先端末は、
文字や図形を表示する表示部
を更に有し、
前記要求先端末の中央処理部は、前記要求元端末から送信された、目的地への到着予定時刻を送信するよう要求する旨のデータを、前記通信部によって受信すると、当該要求に応じるか否かを、当該要求先端末のユーザに確認する旨のメッセージを、前記表示部に表示する
ことを特徴とする請求項１に記載の到着予定時刻取得システム。
【請求項３】
目的地、現在地、及び目的地までの移動手段の各情報に基づいて、現在地から目的地までの所要時間を算出する所要時間算出装置
を更に備え、
前記要求先端末は、
自端末にデータや情報、指示を与えるための入力部と、
複数のＧＰＳ衛星からの電波を受信して、各ＧＰＳ衛星との距離を割り出すことにより、現在位置を測定するＧＰＳ受信部と
を更に有し、
前記要求先端末の中央処理部は、前記入力部を介して、前記要求元端末からの要求に応じる旨の入力を受け付けた場合、前記要求元端末からの要求による目的地の情報と、前記ＧＰＳ受信部が測定した現在位置の情報と、目的地までの移動手段の情報とを、前記通信部を介して前記所要時間算出装置へ送信する
ことを特徴とする請求項２に記載の到着予定時刻取得システム。
【請求項４】
前記要求先端末の中央処理部は、前記所要時間算出装置から送信された、目的地までの所要時間を示すデータを、前記通信部を介して受信すると、受信したデータによって示される所要時間と、現在時刻とに基づいて、目的地への到着予定時刻を算出する
ことを特徴とする請求項３に記載の到着予定時刻取得システム。
【請求項５】
前記要求先端末の中央処理部は、算出した目的地への到着予定時刻を示すデータを、前記通信部を介して前記要求元端末へ送信する
請求項４に記載の到着予定時刻取得システム。
【請求項６】
前記要求先端末の中央処理部は、前記入力部を介して、前記要求元端末からの要求に応じない旨の入力を受け付けた場合、その旨を示すデータを、前記通信部を介して前記要求元端末へ送信する
ことを特徴とする請求項３から５のいずれか一項に記載の到着予定時刻取得システム。
【請求項７】
前記要求先端末の中央処理部は、目的地への到着予定時刻を示すデータを、前記通信部を介して前記要求元端末へ送信するにあたり、当該要求元端末からの到着予定時刻の送信要求を一度許可したことを識別する識別子を示すデータを、前記通信部を介して前記要求元端末へ共に送信する
ことを特徴とする請求項５又は６に記載の到着予定時刻取得システム。
【請求項８】
前記要求元端末の中央処理部は、目的地への到着予定時刻の送信を許可した前記要求先端末に対して、目的地への到着予定時刻を送信するよう要求する旨のデータを再度送信する場合、当該要求先端末から受信した識別子を示すデータを、前記通信部を介して前記要求元端末へ共に送信する
ことを特徴とする請求項７に記載の到着予定時刻取得システム。
【請求項９】
前記要求先端末の中央処理部は、目的地への到着予定時刻を送信するよう要求する旨のデータと共に、前記識別子を示すデータを、前記通信部を介して受信した場合、当該要求先端末のユーザに確認を求めることなく、当該データを送信した前記要求元端末に対して、目的地への到着予定時刻を示すデータを、前記通信部を介して送信する
請求項２から８のいずれか一項に記載の到着予定時刻取得システム。
【請求項１０】
前記要求先端末の中央処理部は、前記識別子を示すデータを伴う要求の有効期限を定める
請求項７から９のいずれか一項に記載の到着予定時刻取得システム。
【発明の詳細な説明】
【技術分野】
【０００１】
本発明は、到着予定時刻取得システムに関する。特に、本発明は、他者の目的地への到着予定時刻を取得する到着予定時刻取得システムに関する。
【背景技術】
【０００２】
待ち合わせをする者同士は、目的地への到着予定時刻や現在地等を互いに通知し合うことによって、互いの状況を確認する。このような状況において有用なサービスとしては、現在地、目的地、及び目的地までの移動手段の各情報に基づいて、現在地から目的地までの到着予定時刻を算出するサービスが知られている。そして、待ち合わせをする者は、このようなサービスを利用して得た目的地までの到着予定時刻を、待ち合わせの相手に通知する。
【０００３】
このような状況に鑑みて成された技術としては、待ち合わせ時刻に間に合わないような場合に、自動的に待ち合わせ相手にその旨を知らせる技術が知られている（例えば、特許文献１参照。）。
【０００４】
また、上記のような状況に鑑みて成された別の技術としては、位置情報通知装置から使用者の現在位置をサーバマシンに通知することにより、目的地までの到着時間をリアルタイムに予測し、公開ユーザに通知する技術が知られている（例えば、特許文献２参照。）。
【０００５】
また、上記のような状況に鑑みて成された別の技術としては、施設への到着時刻が遅れる場合のユーザの利便性を向上させ、施設においても円滑な営業を行うことができる技術が知られている（例えば、特許文献３参照。）。
【０００６】
また、上記のような状況に鑑みて成された別の技術としては、公共交通機関を利用して待ち合わせの目的地へ移動する場合、公共交通機関の時刻表情報等を参照して到着予定時刻を求めて、その到着予定時刻を待ち合わせ相手側端末へ通知し、移動端末が予定した移動経路に沿って移動しているか否かを監視可能とするもので、経路変更や到着予定時間変更を識別可能とし、相手側端末へ通知する技術が知られている（例えば、特許文献４参照。）。
【先行技術文献】
【特許文献】
【０００７】
【特許文献１】特開２００３−００６１１５号公報
【特許文献２】特開２００３−２５９４２５号公報
【特許文献３】特開２００６−１７０８１４号公報
【特許文献４】特開２００８−１３９０３３号公報
【発明の概要】
【発明が解決しようとする課題】
【０００８】
特許文献１から３に記載の技術は、待ち合わせをする者同士が互いの状況を確認するにあたり、待ち合わせの相手に対して、自分の状況を一方的に通知する技術である。そのため、通知を受ける者は、自分の望むタイミングに相手の状況を確認することができるとは限らない。したがって、これら技術によっては、複数人の相手と待ち合わせをするような場合、複数人の相手から到着予定時刻が一方的に通知されることにもなり、特定の相手の到着予定時刻を見逃してしまう虞がある。
【０００９】
また、特許文献４に記載の技術は、通知元の状況を仲介サーバにて管理することによって、通知元の行動監視を行っており、プライバシー保護の観点からシステムユーザ（通知元）が不安を抱えるという問題があった。
【課題を解決するための手段】
【００１０】
上記課題を解決するために、本発明の第１の形態によると、他者の目的地への到着予定時刻を取得する到着予定時刻取得システムであって、目的地への到着予定時刻を通知するよう他者に対して要求する要求元のユーザによって利用される要求元端末と、要求元のユーザからの要求を受ける要求先のユーザによって利用される要求先端末とを備え、要求元端末及び要求先端末は、それぞれ、他端末と通信回線を介してデータを送受信する通信部と、自端末の通信部を含む各部の制御やデータの計算、加工を行う中央処理部とを有し、要求元端末の中央処理部は、目的地への到着予定時刻を取得すべきユーザによって利用されている要求先端末に対して、目的地への到着予定時刻を送信するよう要求する旨のデータを、通信部を介して送信する。
【００１１】
なおまた、上記のように発明の概要は、本発明の必要な特徴の全てを列挙したものではなく、これらの特徴群のサブコンビネーションもまた、発明となり得る。
【発明の効果】
【００１２】
以上の説明から明らかなように、この発明によっては、他者の目的地への到着予定時刻を知りたい場合に、相手から一方的に知らされるのではなく、自分が望むタイミングに、到着予定時刻を知らせるよう相手に要求することができる。そのため、この発明によっては、複数人の相手と待ち合わせをするような場合に、各人から一方的に到着予定時刻を通知されることなく、所望の相手の到着予定時刻のみを知ることができるようになる。
【００１３】
また、この発明によっては、現在地の位置情報の履歴を、各人の端末やサーバ等で管理しないので、現在地の位置情報を提供しているユーザの行動監視に繋がる虞のない、プライバシーの保護に優れたシステムを提供することができる。
【図面の簡単な説明】
【００１４】
【図１】一実施形態に係る到着予定時刻取得システム１００の利用環境の一例を示す図である。
【図２】携帯電話１１０の動作フローの一例を示す図である。
【図３】携帯電話１２０の動作フローの一例を示す図である。
【図４】携帯電話１２０の動作フローの一例を示す図である。
【図５】携帯電話１１０の動作フローの一例を示す図である。
【図６】携帯電話１１０の動作フローの一例を示す図である。
【図７】携帯電話１１０の動作フローの一例を示す図である。
【図８】携帯電話１２０の動作フローの一例を示す図である。
【図９】携帯電話１１０から携帯電話１２０へ送信されるデータの一例を示す図である。
【図１０】携帯電話１２０から携帯電話１１０へ送信されるデータの一例を示す図である。
【図１１】携帯電話１２０から携帯電話１１０へ送信されるデータの一例を示す図である。
【図１２】携帯電話１１０から携帯電話１２０へ送信されるデータの一例を示す図である。
【図１３】携帯電話１１０の記憶部１１２に登録されるデータの一例を示す図である。
【図１４】携帯電話１２０の記憶部１２２に登録されるデータの一例を示す図である。
【図１５】携帯電話１１０の動作フローの一例を示す図である。
【図１６】携帯電話１１０の動作フローを示す図である。
【図１７】携帯電話１１０の動作フローを示す図である。
【図１８】携帯電話１１０の記憶部１１２に登録されるデータの一例を示す図である。
【発明を実施するための形態】
【００１５】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１６】
図１は、一実施形態に係る到着予定時刻取得システム１００の利用環境の一例を示す。到着予定時刻取得システム１００は、他者の目的地への到着予定時刻を取得するためのシステムである。
【００１７】
到着予定時刻取得システム１００は、携帯電話１１０、携帯電話１２０、Ｗｅｂサーバ１３０、及び通信回線１４０を備える。なおまた、Ｗｅｂサーバ１３０は、この発明における「所要時間算出装置」の一例であってよい。また、通信回線１４０は、インターネット等のコンピュータネットワーク、通信事業者のコアネットワーク、及び種々のローカルネットワークを含む。
【００１８】
携帯電話１１０は、無線通信を利用した、持ち歩ける電話機である。より具体的に説明すると、携帯電話１１０は、送信先端末１２０、及びＷｅｂサーバ１３０とそれぞれ通信回線１４０を介して接続される。そして、本実施形態においては、携帯電話１１０は、目的地への到着予定時刻を通知するよう他者に対して要求する要求元のユーザによって利用されるものとする。なおまた、携帯電話１１０は、この発明における「要求元端末」の一例であってよい。
【００１９】
携帯電話１２０は、無線通信を利用した、持ち歩ける電話機である。より具体的に説明すると、携帯電話１２０は、携帯電話１１０、及びＷｅｂサーバ１３０とそれぞれ通信回線１４０を介して接続される。そして、本実施形態においては、携帯電話１２０は、要求元のユーザからの要求を受ける要求先のユーザによって利用されるものとする。なおまた、携帯電話１２０は、この発明における「要求先端末」の一例であってよい。
【００２０】
携帯電話１１０（１２０）は、通信部１１１（１２１）、記憶部１１２（１２２）、ＧＰＳ（Ｇｌｏｂａｌ  Ｐｏｓｉｔｉｏｎｉｎｇ  Ｓｙｓｔｅｍ）受信部１１３（１２３）、表示部１１４（１２４）、入力部１１５（１２５）、及び中央処理部１１６（１２６）を有する。以下に、各構成要素の機能及び動作を説明する。
【００２１】
携帯電話１１０（１２０）の通信部１１１（１２１）は、通信回線１４０等のネットワークに接続し、携帯電話１２０（１１０）及びＷｅｂサーバ１３０との間で様々な情報を送受信する手段である。
【００２２】
携帯電話１１０（１２０）の記憶部１１２（１２２）は、メモリ又はハードディスクのような記憶装置であり、携帯電話１２０（１１０）との通信で送受信される情報のうち、要求元端末情報及び要求先端末情報、目的地の位置情報、移動手段情報、アクセスＩＤ、有効期限の登録・検索・削除する手段である。要求元端末情報とは、到着予定時刻の提供を要求する要求元の携帯電話を、システムが識別可能な端末ＩＤ及び人間が理解可能な名称から構成される情報である。要求先端末情報とは、到着予定時刻の提供を要求した要求先の携帯電話を、システムが識別可能な端末ＩＤ及び人間が理解可能な名称から構成される情報である。到着予定時刻とは、現在の位置情報を取得した時刻から、所要時間だけ経過した時刻である。
【００２３】
携帯電話１１０（１２０）のＧＰＳ受信部１１３（１２３）は、ＧＰＳ（Ｇｌｏｂａｌ  Ｐｏｓｉｔｉｏｎｉｎｇ  Ｓｙｓｔｅｍ）から携帯電話１１０（１２０）の現在の位置情報を受信する手段である。
【００２４】
携帯電話１１０（１２０）の表示部１１４（１２４）は、タッチパネルも兼ねた液晶画面のような表示装置であり、記憶部１１２（１２２）で保持する情報、及び通信部１１１（１２１）で送受信される情報等を表示する手段である。
【００２５】
携帯電話１１０（１２０）の入力部１１５（１２５）は、ハードウェア又はソフトウェアのキーボードやトラックボールのような入力装置であり、要求元では要求先端末情報や目的地の位置情報等を入力し、要求先では移動手段情報及び到着予定時刻の提供要求へ応じるか否かの判断結果等を入力する手段である。
【００２６】
携帯電話１１０（１２０）の中央処理部１１６（１２６）は、通信部１１１（１２１）、記憶部１１２（１２２）、ＧＰＳ受信部１１３（１２３）、表示部１１４（１２４）、及び入力部１１５（１２５）の制御やデータの計算、加工を行う。例えば、携帯電話１２０（１１０）の中央処理部１２６（１１６）は、乱数を用いてＵＵＩＤ（Ｕｎｉｖｅｒｓａｌｌｙ  Ｕｎｉｑｕｅ  Ｉｄｅｎｔｉｆｉｅｒ）を発行し、携帯電話１２０（１１０）のユーザが許可した到着予定時刻の提供要求を識別するアクセスＩＤを発行する。アクセスＩＤとは、現在の位置情報や目的地への到着予定時刻等の情報提供を許可した要求を識別するための情報であり、アクセスＩＤを持つ要求元が到着予定時刻等の要求先の情報を再び要求した場合、アクセスＩＤに付与されている有効期限内であれば要求先は要求元からの要求を許可する。有効期限とは、要求元がアクセスＩＤを用いて到着予定時刻等の要求先の情報を再び要求する場合、要求先で無条件に許可する時間的制約であり、具体的には要求先が目的地に到着するまでの時刻、すなわち到着予定時刻がアクセスＩＤの時間的制約となる。
【００２７】
Ｗｅｂサーバ１３０は、ＷＷＷ（Ｗｏｒｌｄ  Ｗｉｄｅ  Ｗｅｂ）システムにおいて、情報送信を行うコンピュータである。より具体的に説明すると、Ｗｅｂサーバ１３０は、携帯電話１１０、及び携帯電話１２０とそれぞれ通信回線１４０を介して接続される。そして、Ｗｅｂサーバ１３０は、目的地及び現在地の各位置情報、並びに目的地までの移動手段情報に基づいて、現在地から目的地までの所要時間を算出する。位置情報とは、目的地や現在地等の場所を特定可能な情報であり、ＧＰＳで取得可能な緯度経度等である。移動手段情報とは、現在地から目的地へ移動する際の手段を特定可能な情報であり、たとえば、電車や飛行機、バス等の公共交通機関、自家用車、自転車、徒歩等である。所要時間とは、現在地と目的地等の２点間を移動手段情報に基づいて移動した際に要する時間である。
【００２８】
図２は、携帯電話１１０の動作フローの一例を示す。図９は、携帯電話１１０から携帯電話１２０へ送信されるデータの一例を示す。図１３は、携帯電話１１０の記憶部１１２に登録されるデータの一例を示す。次に、図２及び図９、図１３を参照して、要求元が携帯電話１１０を用いて、要求先の携帯電話１２０へ到着予定時刻の提供を初めて要求する動作について説明する。
【００２９】
まず要求元は、携帯電話１１０の表示部１１４に表示された入力画面上で（Ｓ１０１）、入力部１１５を用いて、目的地の位置情報として「北緯・・・  東経・・・」、及び要求先端末情報として名称「携帯電話１２０」と端末ＩＤ「ｙｙｙｙｙｙｙｙｙｙｙｙｙｙｙ」を入力する（Ｓ１０２）。
【００３０】
なお、目的地の位置情報として緯度経度を直接入力するか、又は地図上のポイントを指定することで該当する緯度経度を入力とする等、位置情報の入力方法はいくつか考えられるが、ここではその入力方法を限定しない。
【００３１】
携帯電話１１０の中央処理部１１６は、入力された要求先端末情報及び目的地の位置情報を記憶部１１２に登録する（Ｓ１０３）。その際、記憶部１１２には、図１３に示す情報のうちアクセスＩＤを除く、要求先端末情報及び目的地の位置情報が登録される。
【００３２】
携帯電話１１０の中央処理部１１６は、記憶部１１２で保持する目的地の位置情報に加えて要求元端末情報として名称「携帯電話１１０」と端末ＩＤ「ｘｘｘｘｘｘｘｘｘｘｘｘ」を、記憶部１１２で要求先端末情報として登録されている携帯電話１２０に対して、通信部１１１から送信する（Ｓ１０４）。その際、携帯電話１１０から携帯電話１２０へ送信される内容は、図９に示す情報となる。
【００３３】
このように要求元は、携帯電話１１０を用いて目的地の位置情報を要求先である携帯電話１２０に送信し、要求先の目的地への到着予定時刻及び現在の位置情報の提供を要求することが可能となる。
【００３４】
図３は、携帯電話１２０の動作フローの一例を示す。図１０は、携帯電話１２０から携帯電話１１０へ送信されるデータの一例を示す。図１４は、携帯電話１２０の記憶部１２２に登録されるデータの一例を示す。次に、図３及び図９、図１０、図１４を参照して、要求先が携帯電話１２０を用いて、要求元の携帯電話１１０からの目的地への到着予定時刻の提供要求を受けた際の動作について説明する。
【００３５】
まず携帯電話１２０は、携帯電話１１０から送信された目的地の位置情報と要求元端末情報を通信部１２１で受信する（Ｓ２０１）。その際、携帯電話１２０の通信部１２１へ携帯電話１１０から送信された内容は、図９に示す情報となる。
【００３６】
携帯電話１２０の中央処理部１２６は、は、受信した目的地の位置情報として「北緯・・・  東経・・・」、及び要求元端末情報として名称「携帯電話１１０」と端末ＩＤ「ｘｘｘｘｘｘｘｘｘｘｘｘ」を表示部１２４に表示する（Ｓ２０２）。その際、要求元である携帯電話１１０からの要求に応じるか否かのメッセージも表示部１２４に表示し、携帯電話１２０のユーザである要求先の意思を確認する。
【００３７】
なお、目的地の位置情報として緯度経度を直接表示するか、又は緯度経度に該当する地図上のポイントを表示する等、位置情報の表示方法はいくつか考えられるが、ここではその表示方法を限定しない。
【００３８】
要求先は、要求元端末情報として登録されている携帯電話１１０からの目的地への到着予定時刻の提供要求に応じる旨を、携帯電話１２０の入力部１２５で入力する（Ｓ２０３：Ｙｅｓ）。
【００３９】
携帯電話１２０の中央処理部１２６は、受信した目的地の位置情報と要求元端末情報を記憶部１２２に登録する（Ｓ２０４）。その際、記憶部１２２には、図１４に示す情報のうち移動手段情報及びアクセスＩＤ、有効期限を除く、要求元端末情報及び目的地の位置情報が登録される。
【００４０】
要求先は、携帯電話１２０の表示部１２４に表示された目的地への移動手段情報の入力画面上で（Ｓ２０５）、入力部１２５を用いて、目的地への移動手段情報として電車を入力する（Ｓ２０６）。その際、目的地への移動手段情報として電車や飛行機、バス、自家用車、自転車、徒歩等の候補を表示し、その中から選択させることで該当する移動手段を入力とする。
【００４１】
なお、表示される移動手段情報の候補は、携帯電話１２０で利用するＷｅｂサーバ１３０に応じて異なる。
【００４２】
携帯電話１２０は、入力された移動手段情報を記憶部１２２に登録（Ｓ２０７）し、結果的に、記憶部１２２には、図１４に示す情報のうちアクセスＩＤ及び有効期限を除く、要求先端末情報及び目的地の位置情報、移動手段情報が登録されたことになる。
【００４３】
携帯電話１２０は、図４で示す動作フローに処理を移すことになる（Ｓ２０８）。
【００４４】
一方、要求先は、要求元端末情報に登録されている携帯電話１１０からの目的地への到着予定時刻の提供要求を拒否する旨を、携帯電話１２０の入力部１２５で入力する（Ｓ２０３：Ｎｏ）。
【００４５】
携帯電話１２０の中央処理部１２６は、到着予定時刻の提供を拒否するメッセージ、及び要求先端末情報として名称「携帯電話１２０」と端末ＩＤ「ｙｙｙｙｙｙｙｙｙｙｙｙｙｙｙ」を、要求元端末情報として登録されている携帯電話１１０に対して、通信部１２１から送信する（Ｓ２０９）。その際、携帯電話１２０から携帯電話１１０へ送信される内容は、図１０に示す情報となる。
【００４６】
このように要求先は、要求元からの目的地への到着予定時刻の提供要求を受けた際、携帯電話１２０を用いて、到着予定時刻を要求元へ提供するか否かの意思決定を行い、要求元へ応答することが可能となる。
【００４７】
図４は、携帯電話１２０の動作フローの一例を示す。図１１は、携帯電話１２０から携帯電話１１０へ送信されるデータの一例を示す。次に、図４及び図１１、図１４を参照して、要求先が要求元からの到着予定時刻の提供要求に応じる際の携帯電話１２０における動作について説明する。
【００４８】
まず携帯電話１２０は、ＧＰＳ受信部１２３で、携帯電話１２０の現在の位置情報をＧＰＳより取得する（Ｓ３０１）。
【００４９】
携帯電話１２０の中央処理部１２６は、ＧＰＳより取得した現在の位置情報、及び記憶部１２２で保持する移動手段情報と目的地の位置情報を、通信部１２１を介してＷｅｂサーバ１３０に送信する（Ｓ３０２）。
【００５０】
Ｗｅｂサーバ１３０は、携帯電話１２０より受信した２つの位置情報間を、携帯電話１２０より受信した移動手段情報に従い移動した場合の所要時間を算出し、その所要時間を携帯電話１２０に返信する。
【００５１】
携帯電話１２０の中央処理部１２６は、Ｗｅｂサーバ１３０より現在地から目的地へ移動した際の所要時間を通信部１２１で受信すると（Ｓ３０３）、現在時刻に対して所要時間を加算した結果として到着予定時刻を算出する（Ｓ３０４）。
【００５２】
携帯電話１２０は、目的地に到着したと判断する目的地までの所要時間を規定時間として保持しており、中央処理部１２６は、Ｗｅｂサーバ１３０より受信した所要時間がその規定時間より大きい場合（Ｓ３０５：Ｙｅｓ）、携帯電話１２０はまだ目的地へ到着していないと判断し、携帯電話１２０で算出した到着予定時刻を有効期限とするアクセスＩＤを発行し（Ｓ３０６）、発行したアクセスＩＤと有効期限を記憶部１２２に登録する（Ｓ３０７）。その際、アクセスＩＤの有効期限は到着予定時刻であり、記憶部１２２には図１４に示す全ての情報が登録されていることになる。
【００５３】
なお、目的地に５分以内の位置に携帯電話１２０が到着した時点で到着したと判断する場合、規定時間は５分ということになる。この規定時間はあらかじめ携帯電話１２０上で設定されている値である。
【００５４】
携帯電話１２０の中央処理部１２６は、記憶部１２２で保持する移動手段情報とアクセスＩＤ、及びＧＰＳより取得した現在の位置情報、及び目的地への到着予定時刻と共に、要求先端末情報として名称「携帯電話１２０」と端末ＩＤ「ｙｙｙｙｙｙｙｙｙｙｙｙｙｙｙ」を、記憶部１２２で要求元端末情報として登録されている携帯電話１１０に対して、通信部１２１から送信する（Ｓ３０８）。その際、携帯電話１２０から携帯電話１１０へ送信される内容は、図１１に示す情報となる。
【００５５】
一方、携帯電話１２０の中央処理部１２６は、Ｗｅｂサーバ１３０より受信した所要時間が規定時間より小さい場合（Ｓ３０５：Ｎｏ）、携帯電話１２０は目的地へ到着したと判断してアクセスＩＤを発行することなく、記憶部１２２で保持する移動手段情報、及びＧＰＳより取得した現在の位置情報、及び目的地への到着予定時刻と共に、要求先端末情報として名称「携帯電話１２０」と端末ＩＤ「ｙｙｙｙｙｙｙｙｙｙｙｙｙｙｙ」を、記憶部１２２で要求元端末情報として登録されている携帯電話１１０に対して、通信部１２１から送信する（Ｓ３０９）。その際、携帯電話１２０から携帯電話１１０へ送信される内容は、図１１に示す情報のうちアクセスＩＤを除いた内容となる。
【００５６】
なお、携帯電話１２０は、目的地へ到着したと判断した要求元の提供要求に該当する、目的地の位置情報及び移動手段情報、要求元端末情報、アクセスＩＤ、有効期限を記憶部１２２から削除する（Ｓ３１０、削除されるデータは図１４に相当）。
【００５７】
このように携帯電話１２０は、予め保持する目的地に到着したと判断する基準である規定時間と、Ｗｅｂサーバ１３０より取得した所要時間とを携帯電話１２０が比較し、目的地へ到着したか否かを判断して、到着していない場合は要求元へ次回の要求時に利用する有効期限付きのアクセスＩＤを発行して、目的地への到着予定時刻を提供することが可能となる。
【００５８】
図５は、携帯電話１１０の動作フローの一例を示す。次に、図５及び図１０、図１３を参照して、要求元が携帯電話１１０を用いて、要求先の携帯電話１２０から到着予定時刻の提供拒否のメッセージを受け取った際の動作について説明する。
【００５９】
まず携帯電話１１０は、携帯電話１２０から送信された到着予定時刻の提供拒否のメッセージを通信部１１１で受信する（Ｓ４０１）。その際、携帯電話１１０の通信部１１１へ携帯電話１２０から送信された内容は、図１０に示す情報となる。
【００６０】
携帯電話１１０の中央処理部１１６は、受信した到着予定時刻の提供拒否を知らせるメッセージとして「到着予定時刻の提供はできません」、及び要求先端末情報として名称「携帯電話１２０」と端末ＩＤ「ｙｙｙｙｙｙｙｙｙｙｙｙｙｙｙ」を表示部１１４に表示する（Ｓ４０２）。
【００６１】
携帯電話１１０の中央処理部１１６は、到着予定時刻の提供拒否として応答された要求先への提供要求に該当する、要求先端末情報と目的地の位置情報、アクセスＩＤを記憶部１１２から削除する（Ｓ４０３、削除されるデータは図１３に相当）。
【００６２】
図６は、携帯電話１１０の動作フローの一例を示す。次に、図６及び図１１、図１３を参照して、要求元が携帯電話１１０を用いて、要求先の携帯電話１２０から到着予定時刻とアクセスＩＤを受け取った際の動作について説明する。
【００６３】
まず携帯電話１１０は、携帯電話１２０から送信された、携帯電話１２０の現在地の位置情報及び目的地への到着予定時刻、移動手段情報、アクセスＩＤを通信部１１１で受信する（Ｓ５０１）。その際、携帯電話１１０へ携帯電話１２０から送信された内容は、図１１に示す情報となる。
【００６４】
携帯電話１１０の中央処理部１１６は、受信した携帯電話１２０の現在の位置情報として「北緯・・・  東経・・・」、及び移動手段情報として「電車」、到着予定時刻として「２０１０／１２／０２  １５：５０」、要求先端末情報として名称「携帯電話１２０」と端末ＩＤ「ｙｙｙｙｙｙｙｙｙｙｙｙｙｙｙ」と共に、記憶部１１２で保持する目的地の位置情報として「北緯・・・  東経・・・」を、表示部１１４に表示する（Ｓ５０２）。
【００６５】
なお、現在地や目的地の位置情報として緯度経度を直接表示するか、又は緯度経度に該当する地図上のポイントを表示する等、位置情報の表示方法はいくつか考えられるが、ここではその表示方法を限定しない。
【００６６】
携帯電話１１０の中央処理部１１６は、携帯電話１２０より受信した応答にアクセスＩＤが含まれるか否かをチェックし、アクセスＩＤが含まれていると（Ｓ５０３：Ｎｏ）、携帯電話１２０がまだ目的地へ到着していないと判断する。
【００６７】
携帯電話１１０はの中央処理部１１６、携帯電話１２０より受信したアクセスＩＤを、到着予定時刻が提供された要求に該当するレコードのアクセスＩＤとして記憶部１１２に登録し（Ｓ５０４）、結果的に、記憶部１１２には、図１３に示す全ての情報が登録されたことになる。
【００６８】
一方、携帯電話１１０の中央処理部１１６は、携帯電話１２０より受信した応答にアクセスＩＤが含まれていないと（Ｓ５０３：Ｙｅｓ）、携帯電話１２０が目的地に到着したと判断する。
【００６９】
携帯電話１１０の中央処理部１１６は、携帯電話１２０よりアクセスＩＤが提供されなかった、即ち携帯電話１２０が目的地付近に到着したことを示すメッセージを表示部１１４に表示し（Ｓ５０５）、到着予定時刻が提供された要求に該当するレコードを記憶部１１２から削除する（Ｓ５０６、削除されるデータは図１３に相当）。
【００７０】
このように携帯電話１１０は、携帯電話１２０から目的地への到着予定時刻と共にアクセスＩＤを受信することで、要求先が目的地に到着したか否かを判断することができ、アクセスＩＤが提供された場合はそのアクセスＩＤを記憶部１１２で保持することで、次回の到着予定時刻を確認する際にアクセスＩＤを利用して、要求先である携帯電話１２０へ提供要求を送信することが可能となる。
【００７１】
図７は、携帯電話１１の動作フローの一例を示す。図１２は、携帯電話１１０から携帯電話１２０へ送信されるデータの一例を示す。次に、図７及び図１２、図１３を参照して、要求元が携帯電話１１０を用いて、要求先の携帯電話１２０へ到着予定時刻の提供をアクセスＩＤと共に要求する動作について説明する。
【００７２】
まず携帯電話１１０の中央処理部１１６は、記憶部１１２でアクセスＩＤと共に保持する全ての要求先端末情報を選択画面として表示部１１４に表示し（Ｓ６０１）、要求元は、アクセスＩＤを用いて最新の到着予定時刻を確認したい要求先端末情報を入力部１１５を用いて指定する（Ｓ６０２）。その際、記憶部１１２では、図１３に示すような情報を保持している。
【００７３】
なお、要求先である要求先端末情報として名称又は端末ＩＤを直接入力するか、又はリストボックス等のように該当する要求先端末情報をトラックボール等で選択する等、アクセスＩＤを用いた到着予定時刻の提供を要求する先である要求先端末情報の指定方法はいくつか考えられるが、ここではその指定方法を限定しない。
【００７４】
携帯電話１１０の中央処理部１１６は、指定された要求先端末情報に該当するアクセスＩＤを記憶部１１２から取得し（Ｓ６０３）、取得したアクセスＩＤと共に要求元端末情報として名称「携帯電話１１０」と端末ＩＤ「ｘｘｘｘｘｘｘｘｘｘｘｘ」を、選択した要求先端末情報として登録されている携帯電話１２０に対して、通信部１１１から送信する（Ｓ６０４）。その際、携帯電話１１０から携帯電話１２０へ送信される内容は、図１２に示す情報となる。
【００７５】
このように要求元は、携帯電話１１０を用いて、アクセスＩＤを提供した要求先端末情報を指定し、アクセスＩＤを要求先である携帯電話１２０に送信することで、目的地への到着予定時刻及び現在の位置情報に関する最新情報の提供を要求することが可能となる。
【００７６】
図８は、携帯電話１２０の動作フローの一例を示す。次に、図８及び図１０、図１２、図１４を参照して、要求先が携帯電話１２０を用いて、要求元の携帯電話１１０からの目的地への到着予定時刻の提供要求をアクセスＩＤと共に受けた際の動作について説明する。
【００７７】
まず携帯電話１２０は、携帯電話１１０から送信されたアクセスＩＤと要求元端末情報を通信部１２１で受信する（Ｓ７０１）。その際、携帯電話１２０の通信部１２１へ携帯電話１１０から送信された内容は、図１２に示す情報となる。
【００７８】
携帯電話１２０の中央処理部１２６は、受信したアクセスＩＤをキーに、記憶部１２２に保持するアクセスＩＤの有効期限を検索し、その有効期限と現在時刻を比較してアクセスＩＤの有効期限が切れているか否かをチェックし、現在時刻が有効期限を過ぎていない場合（Ｓ７０２：Ｙｅｓ）、アクセスＩＤの有効期限が切れていないと判断する。
【００７９】
携帯電話１２０の中央処理部１２６は、携帯電話１１０より受信した要求元端末情報として名称「携帯電話１１０」と端末ＩＤ「ｘｘｘｘｘｘｘｘｘｘｘｘ」を表示部１２４に表示する（Ｓ７０３）。その際、要求元である携帯電話１１０からの有効期限内のアクセスＩＤを用いた要求に自動応答する旨のメッセージも表示部１２４に表示し、携帯電話１２０のユーザである要求先に自動応答することを通知する。
【００８０】
その後、携帯電話１２０は、図４で示す動作に処理を移すことになる（Ｓ７０４）。なお、携帯電話１２０でのこの動作に関しては、先に説明した内容とまったく同じであり、ここでは説明を割愛する。
【００８１】
一方、携帯電話１２０の中央処理部１２６は、受信したアクセスＩＤをキーに、記憶部１２２に保持するアクセスＩＤの有効期限を検索し、その有効期限と現在時刻を比較してアクセスＩＤの有効期限が切れているか否かをチェックし、現在時刻が有効期限を過ぎている場合（Ｓ７０２：Ｎｏ）、アクセスＩＤの有効期限が切れていると判断する。
【００８２】
携帯電話１２０の中央処理部１２６は、受信したアクセスＩＤ及び要求元端末情報の要求に該当するレコードを、記憶部１２２から削除する（Ｓ７０５、削除されるデータは図１４に相当）。
【００８３】
携帯電話１２０の中央処理部１２６は、到着予定時刻の提供を拒否するメッセージ、及び要求先端末情報として名称「携帯電話１２０」と端末ＩＤ「ｙｙｙｙｙｙｙｙｙｙｙｙｙｙｙ」を、要求元端末情報として登録されている携帯電話１１０に対して、通信部１２１から送信する（Ｓ７０６）。その際、携帯電話１２０から携帯電話１１０へ送信される内容は、図１０に示す情報となる。
【００８４】
このように要求先は、要求元からの目的地への到着予定時刻の提供要求をアクセスＩＤと共に受けた際、携帯電話１２０を用いて、到着予定時刻を要求元へ提供するか否かの意思決定をアクセスＩＤの有効期限をチェックすることで無条件に応答するのではなく、しかも要求元への応答を自動化することが可能となる。
【００８５】
本発明では、現在の位置情報や到着予定時刻等の相手の状況を、自身が確認したいタイミングで、相手に要求することができるという効果がある。特に、１対多の関係において、複数の相手の状況を確認する必要がある場合、その効果は顕著であり、既知の技術のように多くの相手からそれぞれの現在の位置情報や到着予定時刻が一方的に通知されないため、本当に確認したい相手の情報を把握することが可能となる。
【００８６】
また本発明では、行動監視に繋がるような現在の位置情報の履歴を、既知の技術のように仲介サーバや携帯電話等で管理しないため、既知の技術に比べてユーザのプライバシー保護に優れており、要求システムのユーザの安心感を得やすい。
【００８７】
本発明の第２の実施形態は、上記実施形態の図１にある携帯電話１１０の中央処理部１１６、及び携帯電話１２０の中央処理部１２６の動作が上記実施形態の動作と異なる。
【００８８】
本実施形態の中央処理部１１６（中央処理部１２６）は、設定されたタイマーに従い特定の処理を実行する。要求先へ到着予定時刻の提供をアクセスＩＤと共に要求する要求元の動作を、要求元のユーザが携帯電話１１０（１２０）を操作することなく、要求元が指定した自動要求時刻に応じて携帯電話１１０（１２０）が要求先に到着予定時刻の提供要求を自動的に行う。自動要求時刻とは、現在の位置情報及び目的地への移動手段情報、到着予定時刻等の要求先の情報を、アクセスＩＤを用いて自動要求すると要求元が設定した時刻である。
【００８９】
次に、本実施形態の動作について説明する。第１の実施形態と異なるのは、図５のフローチャート（要求先から到着予定時刻の提供拒否のメッセージを受け取った場合）が図１５に示すフォローチャートに変更し、図６のフローチャート（要求先から到着予定時刻とアクセスＩＤを受け取った場合）が図１６に示すフローチャートに変更した点と、図１７に示すフローチャート（携帯電話１２０における『要求先へ到着予定時刻の自動要求』）を追加した点である。また、図１７のフローチャートを追加したことにより、図７のフローチャート（要求先へ到着予定時刻の提供をアクセスＩＤを用いた要求動作）が不要となる。なお、その他の動作に関するフローチャート（図２、図３、図４、図８）は、第１の実施形態と全く同じである。
【００９０】
図１５は、携帯電話１１０の動作フローの一例を示す。図１８は、携帯電話１１０の記憶部１１２に登録されるデータの一例を示す。まず、図１５及び図１０、図１８を参照して、要求元が携帯電話１１０を用いて、要求先の携帯電話１２０から到着予定時刻の提供拒否のメッセージを受け取った際の動作について説明する。
【００９１】
まず携帯電話１１０は、携帯電話１２０から送信された到着予定時刻の提供拒否のメッセージを通信部１１１で受信する（Ｓ８０１）。その際、携帯電話１１０の通信部１１１へ携帯電話１２０から送信された内容は、図１０に示す情報となる。
【００９２】
携帯電話１１０の中央処理部１１６は、受信した到着予定時刻の提供拒否を知らせるメッセージとして「到着予定時刻の提供はできません」、及び要求先端末情報として名称「携帯電話１２０」と端末ＩＤ「ｙｙｙｙｙｙｙｙｙｙｙｙｙｙｙ」を表示部１１４に表示する（Ｓ８０２）。
【００９３】
携帯電話１１０の中央処理部１１６は、到着予定時刻の提供拒否として応答された要求先への提供要求に該当する、要求先端末情報と目的地の位置情報、アクセスＩＤ、自動要求時刻を記憶部１１２から削除する（Ｓ８０３、削除されるデータは図１８に相当）。
【００９４】
なお、図５のフローチャートとの違いは、図５のステップＳ４０３に相当する図１５のステップＳ８０３にて自動要求時刻を記憶部１１２から削除する処理が追加されただけであり、図１５のステップＳ８０１からステップＳ８０２までの処理は図５のステップＳ４０１からステップＳ４０２までの処理と全く同じである。
【００９５】
図１６は、携帯電話１１０の動作フローを示す。次に、図１６及び図１１、図１８を参照して、要求元が携帯電話１１０を用いて、要求先の携帯電話１２０から到着予定時刻とアクセスＩＤを受け取った際の動作について説明する。
【００９６】
まず携帯電話１１０は、携帯電話１２０から送信された、携帯電話１２０の現在地の位置情報及び目的地への到着予定時刻、移動手段情報、アクセスＩＤを通信部１１１で受信する（Ｓ９０１）。その際、携帯電話１１０の通信部１１１へ携帯電話１２０から送信された内容は、図１１に示す情報となる。
【００９７】
携帯電話１１０の中央処理部１１６は、受信した携帯電話１２０の現在の位置情報として「北緯・・・  東経・・・」、及び移動手段情報として「電車」、到着予定時刻として「２０１０／１２／０２  １５：５０」、要求先端末情報として名称「携帯電話１２０」と端末ＩＤ「ｙｙｙｙｙｙｙｙｙｙｙｙｙｙｙ」と共に、記憶部１１２で保持する目的地の位置情報として「北緯・・・  東経・・・」を、表示部１１４に表示する（のＳ９０２）。
【００９８】
なお、現在地や目的地の位置情報として緯度経度を直接表示するか、又は緯度経度に該当する地図上のポイントを表示する等、位置情報の表示方法はいくつか考えられるが、ここではその表示方法を限定しない。
【００９９】
携帯電話１１０の中央処理部１１６は、携帯電話１２０より受信した応答にアクセスＩＤが含まれるか否かをチェックし、アクセスＩＤが含まれていると（Ｓ９０３：Ｎｏ）、携帯電話１２０がまだ目的地へ到着していないと判断する。
【０１００】
携帯電話１１０の中央処理部１１６は、携帯電話１２０より受信したアクセスＩＤを、到着予定時刻が提供された要求に該当するレコードのアクセスＩＤとして記憶部１１２に登録し（Ｓ９０４）し、結果的に、記憶部１１２には、図１８に示す情報のうち自動要求時刻を除く、要求先端末情報と目的地の位置情報、アクセスＩＤが登録されたことになる。
【０１０１】
携帯電話１１０の中央処理部１１６は、図１７で示す動作『要求先へ到着予定時刻の自動要求』に処理を移すことになる（Ｓ９０５）。
【０１０２】
一方、携帯電話１１０の中央処理部１１６は、携帯電話１２０より受信した応答にアクセスＩＤが含まれていないと（Ｓ９０３：Ｙｅｓ）、携帯電話１２０が目的地に到着したと判断する。
【０１０３】
携帯電話１１０の中央処理部１１６は、携帯電話１２０よりアクセスＩＤが提供されなかった、即ち携帯電話１２０が目的地付近に到着したことを示すメッセージを表示部１１４に表示し（Ｓ９０６）、到着予定時刻が提供された要求に該当するレコードを記憶部１１２から削除する（Ｓ９０７、削除されるデータは図１８に相当）。
【０１０４】
なお、図６のフローチャートとの違いは、図６のステップＳ５０６に相当する図１６のステップＳ９０７にて自動要求時刻を記憶部１１２から削除する処理が追加された点と、携帯電話１１０に追加された動作へ処理を移す新たなステップＳ９０５が追加された点である。なお、図１６のステップＳ９０１からステップＳ８０４までの処理は図６のステップＳ５０１からステップＳ５０４までの処理と全く同じであり、図１６のステップＳ９０６に相当する図６のステップＳ５０５の処理もまったく同じである。
【０１０５】
図１７は、携帯電話１１０の動作フローの一例を示す。次に、図１７及び図１２、図１８を参照して、要求元が携帯電話１１０を用いて自動要求時刻を設定することで、要求先の携帯電話１２０へ到着予定時刻の提供をアクセスＩＤと共に自動要求する動作について説明する。
【０１０６】
まず要求元は、携帯電話１１０の表示部１１４に表示された入力画面上で（Ｓ１００１）、入力部１１５を用いて、自動要求時刻として「２０１０／１２／０２  １４：５０」を入力する（Ｓ１００２）。
【０１０７】
なお、自動要求時刻として特定の時刻を直接入力するか、又は携帯電話１２０より受信した目的地への到着予定時刻からの相対時間を入力させ、到着予定時刻と相対時間から算出した時刻を入力とするか等、自動要求時刻の入力方法はいくつか考えられるが、ここではその入力方法を限定しない。
【０１０８】
携帯電話１１０の中央処理部１１６は、携帯電話１２０より受信したアクセスＩＤの要求に該当するレコードに対して、入力部１１５で入力された自動要求時刻を記憶部１１２に登録する（Ｓ１００３）。その際、記憶部１１２には、図１８に示す全ての情報が登録されたことになる。
【０１０９】
携帯電話１１０の中央処理部１１６は、記憶部１１２で保持する全ての自動要求時刻と現在時刻を定期的にチェックし、現在時刻と自動要求時刻が等しい、又は現在時刻が自動要求時刻を既に過ぎている場合（Ｓ１００４：Ｙｅｓ）、要求先へ提供要求を送信する時刻に到達したと判断する。
【０１１０】
携帯電話１１０の中央処理部１１６は、自動要求時刻に到達したアクセスＩＤ及び要求先端末情報を、記憶部１１２から取得し（Ｓ１００５）、取得したアクセスＩＤと共に要求元端末情報として名称「携帯電話１１０」と端末ＩＤ「ｘｘｘｘｘｘｘｘｘｘｘｘ」を、選択した要求先端末情報として登録されている携帯電話１２０に対して、通信部１１１から送信する（Ｓ１００６）。その際、携帯電話１１０から携帯電話１２０へ送信される内容は、図１２に示す情報となる。
【０１１１】
一方、携帯電話１１０の中央処理部１１６は、記憶部１１２で保持する全ての自動要求時刻と現在時刻を定期的にチェックし、現在時刻が自動要求時刻を過ぎていない場合（Ｓ１００４：Ｎｏ）、要求先へ提供要求を送信する時刻に到達していないと判断し、定期チェックを繰り返すことになる。
【０１１２】
このように要求元は、アクセスＩＤを提供した要求先端末情報へ自動的に要求する自動要求時刻を指定し、アクセスＩＤを要求先である携帯電話１２０に自動的に送信することで、目的地への到着予定時刻及び現在の位置情報に関する最新情報の提供を自動要求することが可能となる。
【０１１３】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１１４】
１００  到着予定時刻取得システム
１１０  携帯電話
１１１  通信部
１１２  記憶部
１１３  ＧＰＳ受信部
１１４  表示部
１１５  入力部
１１６  中央処理部
１２０  携帯電話
１２１  通信部
１２２  記憶部
１２３  ＧＰＳ受信部
１２４  表示部
１２５  入力部
１２６  中央処理部
１３０  Ｗｅｂサーバ
１４０  通信回線
【図１】
2012182711.tif 000003
【図２】
2012182711.tif 000004
【図３】
2012182711.tif 000005
【図４】
2012182711.tif 000006
【図５】
2012182711.tif 000007
【図６】
2012182711.tif 000008
【図７】
2012182711.tif 000009
【図８】
2012182711.tif 000010
【図９】
2012182711.tif 000011
【図１０】
2012182711.tif 000012
【図１１】
2012182711.tif 000013
【図１２】
2012182711.tif 000014
【図１３】
2012182711.tif 000015
【図１４】
2012182711.tif 000016
【図１５】
2012182711.tif 000017
【図１６】
2012182711.tif 000018
【図１７】
2012182711.tif 000019
【図１８】
2012182711.tif 000020